(57)【特許請求の範囲】
【請求項１】
複数ページから構成される情報を表示する表示装置において、
表示部と、
入力を受け付け、前記入力の位置を検出するタッチセンサと、
前記タッチセンサのタッチ面に対する押圧荷重を検出する荷重検出部と、
前記タッチ面または前記表示装置の基準角度からの傾きを検出する傾き検出部と、
前記タッチセンサにより検出された位置に基づいて移動を算出する制御部と、
を備え、
前記制御部は、
前記算出された移動、前記荷重検出部により検出された押圧荷重および前記傾き検出部により検出された傾きが、それぞれ、所定の閾値以上の場合、情報のページを第１の方向に第１の速度でめくるように前記表示部の表示を書き換え、
情報のページを前記第１の方向に第１の速度でめくるように前記表示部の表示を書き換えた後、前記傾き検出部により前記所定の閾値より低い閾値以下の傾きが検出されると、情報のページを前記第１の方向と反対方向である第２の方向に、前記第１の速度より遅い第２の速度でめくるように前記表示部の表示を書き換える、
ことを特徴とする表示装置。
【請求項２】
前記制御部は、情報のページを前記第１の方向に前記第１の速度でめくるように前記表示部の表示を書き換えた後所定時間以内に、前記傾き検出部により前記所定の閾値より低い閾値以下の傾きが検出されると、情報のページを前記第２の方向に前記第２の速度でめくるように前記表示部の表示を書き換えることを特徴とする請求項１に記載の表示装置。
【請求項３】
前記制御部は、前記算出された移動、前記荷重検出部により検出された押圧荷重が、それぞれ、所定の閾値以上で、かつ前記傾き検出部により前記所定の閾値より低い閾値以下の傾きが検出されると、情報のページを前記第２の方向に前記第２の速度でめくるように前記表示部の表示を書き換えることを特徴とする請求項１また２に記載の表示装置。
【請求項４】
前記制御部は、前記タッチセンサにより検出された位置に基づいて所定位置からの移動距離を算出し、前記算出された移動距離、前記荷重検出部により検出された押圧荷重および前記傾き検出部により検出された傾きが、それぞれ、所定の閾値以上の場合、前記情報のページをめくるように前記表示部の表示を書き換え、その後の表示の書き換えは、前記荷重検出部により検出される押圧荷重および前記傾き検出部により検出される傾きに基づいて制御することを特徴とする請求項１〜３のいずれか１項に記載の表示装置。
【請求項５】
前記制御部は、前記傾き検出部により検出された傾きが所定の閾値以上の場合、前記表示部に、ページめくりを促す画像を表示することを特徴とする請求項１〜４のいずれか１項に記載の表示装置。
【請求項６】
前記表示装置は、前記タッチ面を振動させる触感呈示部をさらに備え、
前記制御部は、前記表示部の表示を書き換える際に、前記タッチ面を振動させるように触感呈示部を制御することを特徴とする請求項１〜５のいずれか１項に記載の表示装置。
【請求項７】
表示部と、
入力を受け付け、前記入力の位置を検出するタッチセンサと、
前記タッチセンサのタッチ面に対する押圧荷重を検出する荷重検出部と、
前記タッチ面または表示装置の基準角度からの傾きを検出する傾き検出部と、
を備え、複数ページから構成される情報を表示する表示装置の制御方法であって、
前記タッチセンサにより検出された位置に基づいて移動を算出し、前記算出された移動、前記荷重検出部により検出された押圧荷重および前記傾き検出部により検出された傾きが、それぞれ、所定の閾値以上の場合、情報のページを第１の方向に第１の速度でめくるように前記表示部の表示を書き換え、
情報のページを前記第１の方向に第１の速度でめくるように前記表示部の表示を書き換えた後、前記傾き検出部により前記所定の閾値より低い閾値以下の傾きが検出されると、情報のページを前記第１の方向と反対方向である第２の方向に、前記第１の速度より遅い第２の速度でめくるように前記表示部の表示を書き換える、
ことを特徴とする表示装置の制御方法。
【請求項８】
情報のページを前記第１の方向に前記第１の速度でめくるように前記表示部の表示を書き換えた後所定時間以内に、前記算出された移動、前記荷重検出部により検出された押圧荷重が、それぞれ所定の閾値以上で、かつ前記傾き検出部により前記所定の閾値より低い閾値以下の傾きが検出されると、情報のページを前記第２の方向に前記第２の速度でめくるように前記表示部の表示を書き換えることを特徴とする請求項７に記載の表示装置の制御方法。
【請求項９】
前記算出された移動、前記荷重検出部により検出された押圧荷重が、それぞれ所定の閾値以上で、かつ前記傾き検出部により前記所定の閾値より低い閾値以下の傾きが検出されると、情報のページを前記第２の方向に前記第２の速度でめくるように前記表示部の表示を書き換えることを特徴とする請求項７または請求項８に記載の表示装置
【請求項１０】
前記タッチセンサにより検出された位置に基づいて所定位置からの移動距離を算出し、前記算出された移動距離、前記荷重検出部により検出された押圧荷重および前記傾き検出部により検出された傾きが、それぞれ、所定の閾値以上の場合、前記情報のページをめくるように前記表示部の表示を書き換え、その後の表示の書き換えは、前記荷重検出部により検出される押圧荷重および前記傾き検出部により検出される傾きに基づいて制御することを特徴とする請求項７〜９のいずれか１項に記載の表示装置の制御方法。
【請求項１１】
前記傾き検出部により検出された傾きが所定の閾値以上の場合、前記表示部に、ページめくりを促す画像を表示することを特徴とする請求項７〜１０のいずれか１項に記載の表示装置の制御方法。
【請求項１２】
前記表示装置は、前記タッチ面を振動させる触感呈示部をさらに備える表示装置の制御方法であって、
前記表示部の表示を書き換える際に、前記タッチ面を振動させるように触感呈示部を制御することを特徴とする請求項７〜１１のいずれか１項に記載の表示装置の制御方法。
【発明の詳細な説明】
【技術分野】
【０００１】
本発明は、複数ページから構成される情報のページをめくるように表示を書き換える表示装置および表示装置の制御方法に関するものである。
【背景技術】
【０００２】
近年、文字、画像、音声などの情報を電子メディアに記録し、書籍のように利用する出版形態である電子ブックが実用化されている。例えば、特許文献１では、電子ブックの表示部に接触した指の接触圧力および接触面積の少なくとも一方と、指の移動方向とに基づき、ページをめくるように表示を書き換える方法が開示されている。この方法を用いると、ユーザは本を読むときに近い感覚で電子ブックのアプリケーションを利用することができる。
【先行技術文献】
【特許文献】
【０００３】
【特許文献１】特開２０００−１６３１９３号公報
【発明の概要】
【発明が解決しようとする課題】
【０００４】
しかしながら、上述した特許文献１に記載の技術では、ユーザにページをめくる意志がなかったとしても、ページがめくられてしまうという誤作動を引き起こす可能性があった。例えば、ユーザはタッチセンサのタッチ面の端を持っているつもりであっても、実際には指がタッチセンサの検出領域に置かれていたとする。このときに、何かのきっかけで指に力が入り、タッチセンサに圧力をかけて指を移動させると、ユーザの意志とは関係なくページがめくられてしまうことになる。
【０００５】
このような不都合を解決するため、本出願人は、表示装置の傾き、ユーザの指による入力の移動および押圧荷重に基づいて、情報のページをめくるように表示部の表示を書き換えることのできる表示装置を開発している。この表示装置によれば、３つの値に基づいて表示部の表示が書き換えられるので、ユーザの意志とは関係なくページがめくられてしまうという誤動作を防止することができる。
【０００６】
この表示装置では、ユーザがページを連続的にめくり、目的のページを通過してしまった場合、表示装置を反対方向に傾けることにより、ページを戻すことができる。しかし、ページを戻す際に、再び目的とするページを通過してしまい、何度もページめくりを行わなければならず、目的とするページに辿り着くまでに時間と手間がかかるという問題が考えられる。
【０００７】
かかる点に鑑みてなされた本発明の目的は、ユーザの意思とは無関係にページめくりが行われることを防止し、人が本を読むときに近い感覚で操作することができ、さらに、ページを進める場合と戻す場合におけるページめくりの速度を制御する表示装置および表示装置の制御方法を提供することにある。
【課題を解決するための手段】
【０００８】
上記目的を達成する第１の観点に係る表示装置の発明は、
複数ページから構成される情報を表示する表示装置において、
表示部と、
入力を受け付け、前記入力の位置を検出するタッチセンサと、
前記タッチセンサのタッチ面に対する押圧荷重を検出する荷重検出部と、
前記タッチ面または前記表示装置の基準角度からの傾きを検出する傾き検出部と、
前記タッチセンサにより検出された位置に基づいて移動を算出する制御部と、
を備え、
前記制御部は、
前記算出された移動、前記荷重検出部により検出された押圧荷重および前記傾き検出部により検出された傾きが、それぞれ、所定の閾値以上の場合、情報のページを第１の方向に第１の速度でめくるように前記表示部の表示を書き換え、
情報のページを前記第１の方向に第１の速度でめくるように前記表示部の表示を書き換えた後、前記傾き検出部により前記所定の閾値より低い閾値以下の傾きが検出されると、情報のページを前記第１の方向と反対方向である第２の方向に、前記第１の速度より遅い第２の速度でめくるように前記表示部の表示を書き換える、
ことを特徴とするものである。
【０００９】
第２の観点に係る表示装置の発明は、第１の観点に係る表示装置において、
前記制御部は、情報のページを前記第１の方向に前記第１の速度でめくるように前記表示部の表示を書き換えた後所定時間以内に、前記傾き検出部により前記所定の閾値より低い閾値以下の傾きが検出されると、情報のページを前記第２の方向に前記第２の速度でめくるように前記表示部の表示を書き換えることを特徴とするものである。
【００１０】
第３の観点に係る表示装置の発明は、第１または２の観点に係る表示装置において、
前記制御部は、前記算出された移動、前記荷重検出部により検出された押圧荷重が、それぞれ、所定の閾値以上で、かつ前記傾き検出部により前記所定の閾値より低い閾値以下の傾きが検出されると、情報のページを前記第２の方向に前記第２の速度でめくるように前記表示部の表示を書き換えることを特徴とするものである。
【００１１】
第４の観点に係る表示装置の発明は、第１〜３の観点に係る表示装置において、
前記制御部は、前記タッチセンサにより検出された位置に基づいて所定位置からの移動距離を算出し、前記算出された移動距離、前記荷重検出部により検出された押圧荷重および前記傾き検出部により検出された傾きが、それぞれ、所定の閾値以上の場合、前記情報のページをめくるように前記表示部の表示を書き換え、その後の表示の書き換えは、前記荷重検出部により検出される押圧荷重および前記傾き検出部により検出される傾きに基づいて制御することを特徴とするものである。
【００１２】
第５の観点に係る表示装置の発明は、第１〜４の観点に係る表示装置において、
前記制御部は、前記傾き検出部により検出された傾きが所定の閾値以上の場合、前記表示部に、ページめくりを促す画像を表示することを特徴とするものである。
【００１３】
第６の観点に係る表示装置の発明は、第１〜５の観点に係る表示装置において、
前記表示装置は、前記タッチ面を振動させる触感呈示部をさらに備え、
前記制御部は、前記表示部の表示を書き換える際に、前記タッチ面を振動させるように触感呈示部を制御することを特徴とするものである。
【００１４】
第７の観点に係る表示装置の制御方法の発明は、
表示部と、
入力を受け付け、前記入力の位置を検出するタッチセンサと、
前記タッチセンサのタッチ面に対する押圧荷重を検出する荷重検出部と、
前記タッチ面または表示装置の基準角度からの傾きを検出する傾き検出部と、
を備え、複数ページから構成される情報を表示する表示装置の制御方法であって、
前記タッチセンサにより検出された位置に基づいて移動を算出し、前記算出された移動、前記荷重検出部により検出された押圧荷重および前記傾き検出部により検出された傾きが、それぞれ、所定の閾値以上の場合、情報のページを第１の方向に第１の速度でめくるように前記表示部の表示を書き換え、
情報のページを前記第１の方向に第１の速度でめくるように前記表示部の表示を書き換えた後、前記傾き検出部により前記所定の閾値より低い閾値以下の傾きが検出されると、情報のページを前記第１の方向と反対方向である第２の方向に、前記第１の速度より遅い第２の速度でめくるように前記表示部の表示を書き換える、
ことを特徴とするものである。
【００１５】
第８の観点に係る表示装置の制御方法の発明は、第７の観点に係る表示装置の制御方法において、
情報のページを前記第１の方向に前記第１の速度でめくるように前記表示部の表示を書き換えた後所定時間以内に、前記算出された移動、前記荷重検出部により検出された押圧荷重が、それぞれ所定の閾値以上で、かつ前記傾き検出部により前記所定の閾値より低い閾値以下の傾きが検出されると、情報のページを前記第２の方向に前記第２の速度でめくるように前記表示部の表示を書き換えることを特徴とするものである。
【００１６】
第９の観点に係る表示装置の制御方法の発明は、第７または８の観点に係る表示装置の制御方法において、
前記算出された移動、前記荷重検出部により検出された押圧荷重が、それぞれ所定の閾値以上で、かつ前記傾き検出部により前記所定の閾値より低い閾値以下の傾きが検出されると、情報のページを前記第２の方向に前記第２の速度でめくるように前記表示部の表示を書き換えることを特徴とするものである。
【００１７】
第１０の観点に係る表示装置の制御方法の発明は、第７〜９の観点に係る表示装置の制御方法において、
前記タッチセンサにより検出された位置に基づいて所定位置からの移動距離を算出し、前記算出された移動距離、前記荷重検出部により検出された押圧荷重および前記傾き検出部により検出された傾きが、それぞれ、所定の閾値以上の場合、前記情報のページをめくるように前記表示部の表示を書き換え、その後の表示の書き換えは、前記荷重検出部により検出される押圧荷重および前記傾き検出部により検出される傾きに基づいて制御することを特徴とするものである。
【００１８】
第１１の観点に係る表示装置の制御方法の発明は、第７〜１０の観点に係る表示装置の制御方法において、
前記傾き検出部により検出された傾きが所定の閾値以上の場合、前記表示部に、ページめくりを促す画像を表示することを特徴とするものである。
【００１９】
第１２の観点に係る表示装置の制御方法の発明は、第７〜１１の観点に係る表示装置の制御方法において、
前記表示装置は、前記タッチ面を振動させる触感呈示部をさらに備える表示装置の制御方法であって、
前記表示部の表示を書き換える際に、前記タッチ面を振動させるように触感呈示部を制御することを特徴とするものである。
【発明の効果】
【００２０】
本発明に係る表示装置および表示装置の制御方法によれば、ユーザの意思とは無関係にページめくりが行われることを防止し、人が本を読むときに近い感覚で操作することができる。
【図面の簡単な説明】
【００２１】
【図１】本発明の第１実施の形態に係る表示装置の機能ブロック図である。
【図２−１】本発明の第１実施の形態に係る表示装置の操作方法を示す図である。
【図２−２】本発明の第１実施の形態に係る表示装置の操作方法を示す図である。
【図３】本発明の第１実施の形態に係る表示装置によるページめくり動作を示すフローチャートである。
【図４】本発明の第１実施の形態に係る表示装置によるページめくりの動作概要の一例を示す図である。
【図５】本発明の第１実施の形態に係る表示装置によるページめくりの動作概要の一例を示す図である。
【図６】本発明の第１実施の形態に係る表示装置によるページめくりの動作概要の一例を示す図である。
【図７】本発明の第２実施の形態に係る表示装置によるページめくり動作を示すフローチャートである。
【図８】本発明の第２実施の形態に係る表示装置によるページめくりの動作概要の一例を示す図である。
【図９】本発明の第２実施の形態に係る表示装置によるページめくりの動作概要の一例を示す図である。
【図１０】本発明の第３実施の形態に係る表示装置によるページめくり動作を示すフローチャートである。
【図１１−１】本発明の第４実施の形態に係る表示装置の操作方法を示す図である。
【図１１−２】本発明の第４実施の形態に係る表示装置の操作方法を示す図である。
【図１２】本発明の第４実施の形態に係る表示装置によるページめくり動作を示すフローチャートである。
【図１３】本発明の第５実施の形態に係る表示装置の機能ブロック図である。
【図１４】本発明の第５実施の形態に係る表示装置によるページめくり動作を示すフローチャートである。
【発明を実施するための形態】
【００２２】
以下、本発明に係る表示装置および表示装置の制御方法の実施の形態について、図面を参照して説明する。
（第１実施の形態）
図１は、本発明の第１実施の形態に係る表示装置の機能ブロック図である。この表示装置は、複数ページから構成される情報のページをめくるように表示を書き換える装置であって、タッチセンサ１、荷重検出部２、傾き検出部３、表示部４、記憶部５、および制御部６を有する。
【００２３】
タッチセンサ１は、タッチ面に対する指等のタッチ対象による入力を受け付け、この入力の二次元の位置を検出する。タッチセンサ１は、例えば、抵抗膜方式、静電容量方式、光学式等の公知のもので構成される。荷重検出部２は、タッチセンサ１のタッチ面に対する指等の押圧対象の押圧荷重を検出する。荷重検出部２は、例えば、歪みゲージセンサや圧電素子等の押圧荷重に対してリニアに反応する素子を用いて構成される。傾き検出部３は、タッチセンサ１のタッチ面または表示装置の基準角度からの傾きを検出する。傾き検出部３は、例えば、ジャイロスコープや加速度センサ等の傾きセンサを用いて構成される。ここで、基準角度とは、水平方向または水平面（地球の重力と直角に交わる方向または平面）を０度の角度としたものである。なお、基準角度は、適宜設定変更可能であり、例えば、タッチ面等が水平方向または水平面から２０度傾いた方向または面を基準角度と設定することができる。
【００２４】
表示部４は、電子ブックのアプリケーション画面（書籍の見開きページ）およびアイコンや押しボタン等の入力用オブジェクトを表示するものであり、タッチセンサ１の背面側（タッチ面と逆側）に配置される。表示部４は、例えば、液晶表示パネルや有機ＥＬ表示パネルを用いて構成される。記憶部５は、タッチセンサ１で検出された位置、荷重検出部２で検出された押圧荷重、傾き検出部３で検出された傾きを記憶する。記憶部５は、さらに、傾き、押圧荷重および移動に関連する閾値を記憶する。記憶部５は、例えば、揮発性又は不揮発性メモリ等を用いて構成される。
【００２５】
制御部６は、タッチセンサ１が検出した、指等の入力の位置に基づいて、移動を算出する。ここで、移動とは、単位時間当たりの指の移動量、あるいは、所定位置からの指の移動距離を意味する。また、算出とは、数式を用いたものに限定されず、比較処理等の種々の処理に基づくものを含むものである。制御部６は、移動、傾きおよび押圧荷重が、それぞれ、上述した閾値以上であるか否かを判定し、判定結果に基づいて表示部４の表示を書き換えて、ページめくりを実行する。なお、ページめくりとは、実際に本を読むときのようにページをめくる画像を表示させて表示部４の表示を書き換える場合だけでなく、ページをめくる画像を表示させることなく表示部４の表示を書き換える場合や、ページをスクロールさせながら表示部４の表示を書き換える場合も含むものとする。制御部６は、さらに、時間を測定する機能を有する。
【００２６】
図２−１および図２−２は、本発明の第１実施の形態に係る表示装置の操作方法を示す図である。図２−１（ａ）では、本発明の表示装置上で、電子ブックのアプリケーションが起動中であり、表示部４には現在読み進めている書籍（横書き）の１〜２ページ目が見開きで表示されている。表示装置はｘｙ平面（基準角度）に置かれている。ここで、ユーザは、図２−１（ｂ）に示すように、表示装置の右側を持ち上げて、表示装置のタッチ面を＋ｚ方向に傾ける。この状態で、ユーザが、タッチセンサ１の右側（２ページ目）の端部で、圧力をかけて右手の指ｍを＋ｘ方向（図中右側）に動かす。このとき、傾き検出部３で検出された傾きが閾値以上であり、荷重検出部２で検出された指ｍによる入力の押圧荷重が閾値以上であり、タッチセンサ１で検出された指ｍによる入力の位置に基づき、制御部６で算出された移動が閾値以上である場合、図２−１（ｃ）に示すように、ページが進む方向（「第１の方向」を意味する。以下同じ。）に第１の速度でめくられて、表示部４の表示が書き換えられる。図２−１（ｃ）では、図２−１（ｂ）の状態から１ページがめくられ、３〜４ページ目が見開きで表示されている。
【００２７】
ユーザが、指ｍでタッチセンサ１の右側端部に圧力をかけながら＋ｘ方向に動かし続けると、表示部４の表示が連続的に書き換えられる。ユーザが指ｍの移動を停止すると、表示の書き換えは停止する。図２−２（ｄ）では、ユーザが、指ｍをタッチセンサ１の右側（３０ページ目）の端部で、圧力をかけて停止しているので、２９〜３０ページ目が見開きで表示されている。次に、ユーザは、図２−２（ｅ）に示すように、表示装置のタッチ面を−ｚ方向に傾け、さらに、指ｍでタッチセンサ１の右側端部に圧力をかけながら＋ｘ方向に動かす。すると、表示部４の表示は、図２−２（ｆ）に示すように、ページが戻る方向（「第２の方向」を意味する。以下同じ。第２の方向は第１の方向の反対方向である。）に、第１の速度より遅い第２の速度でめくられて、表示部４の表示が書き換えられる。図２−２（ｆ）では、図２−２（ｅ）の状態から１ページが戻る方向にめくられ、２７〜２８ページ目が見開きで表示されている。
【００２８】
図示例では、右側が高くなるように表示装置のタッチ面を傾けているため、横書きの本であれば本を読み進める方向でページがめくられることになり、人が本を読むときに近い感覚でアプリケーションを操作することができる。なお、図示例では、ページを進める方向にめくる場合およびページを戻る方向にめくる場合の両方に、右手の指ｍをタッチセンサ１の右側端部で＋ｘ方向に動かした場合を例に説明している。しかし、ページを進める方向にめくる場合には右手の指ｍをタッチセンサ１の右側端部で＋ｘ方向に動かし、ページを戻る方向にめくる場合には左手の指ｈをタッチセンサ１の左側端部で−ｘ方向に動かすこともできる。また、指を動かす方向は＋ｘ方向あるいは−ｘ方向の一定方向に限られず、例えば、指ｍを＋ｘ方向と−ｘ方向とに繰り返し動かしてもよい。さらに、指を動かす方向は±ｘ方向だけでなく、任意の方向とすることができる。
【００２９】
第１実施の形態に係る表示装置によるページめくり動作について、図３に示すフローチャートを参照して説明する。ユーザが、表示装置を傾けると、傾き検出部３は、タッチセンサ１のタッチ面の傾きを検出する（ステップＳ１０１）。制御部６は、検出された傾きを記憶部５に格納する。荷重検出部２は、ユーザの指による押圧荷重を検出する（ステップＳ１０１）。制御部６は、検出された押圧荷重を記憶部５に格納する。タッチセンサ１は、ユーザの指による入力の位置を検出する。制御部６は、検出された位置に基づき、単位時間当たりの移動量を算出し、移動として記憶部５に格納する（ステップＳ１０１）。
【００３０】
制御部６は、ステップＳ１０１において検出または算出され、記憶部５に格納された傾き、押圧荷重および移動が、それぞれ、所定の条件（第１の条件）を満足しているか否かを判定する（ステップＳ１０２）。すなわち、制御部６は、各データが、記憶部５に格納されている傾き、押圧荷重および移動に関連する閾値（所定の閾値）以上であるか否かを判定する。傾きに関しては、例えば、制御部６は、タッチ面がｘｙ平面（基準角度）に対して＋ｚ方向に所定の角度（所定の閾値）以上で傾いているか否かを判定する。ステップＳ１０２において、傾き、押圧荷重および移動の少なくとも１つが所定の条件（第１の条件）を満足していない場合（ＮＯの場合）、制御部６は、処理をステップＳ１０１に戻す。ステップＳ１０２において、傾き、押圧荷重および移動の全てが所定の条件（第１の条件）を満足している場合（ＹＥＳの場合）、制御部６は、表示部４の表示を書き換えてページを進める方向に第１の速度でめくる（ステップＳ１０３）。そして、傾き検出部３は、タッチセンサ１のタッチ面の傾きを検出する（ステップＳ１０４）。制御部６は、検出された傾きを記憶部５に格納する。荷重検出部２は、ユーザの指による押圧荷重を検出する（ステップＳ１０４）。制御部６は、検出された押圧荷重を記憶部５に格納する。タッチセンサ１は、ユーザの指による入力の位置を検出する。制御部６は、検出された位置に基づき、単位時間当たりの移動量を算出し、移動として記憶部５に格納する（ステップＳ１０４）。
【００３１】
制御部６は、ステップＳ１０４において検出または算出され、記憶部５に格納された傾き、押圧荷重および移動が、それぞれ、ステップＳ１０２と同じ所定の条件（第１の条件）を満足しているか否かを判定する（ステップＳ１０５）。ステップＳ１０５において、傾き、押圧荷重および移動の全てが第１の条件を満足している場合（ＹＥＳの場合）、制御部６は、処理をステップＳ１０３に戻す。ステップＳ１０５において、傾き、押圧荷重および移動の少なくとも１つが所定の条件を満足していない場合（ＮＯの場合）、制御部６は、処理をステップＳ１０６に進める。傾き検出部３は、タッチセンサ１のタッチ面の傾きを検出する（ステップＳ１０６）。制御部６は、検出された傾きを記憶部５に格納する。荷重検出部２は、ユーザの指による押圧荷重を検出する（ステップＳ１０６）。制御部６は、検出された押圧荷重を記憶部５に格納する。タッチセンサ１は、ユーザの指による入力の位置を検出する。制御部６は、検出された位置に基づき、単位時間当たりの移動量を算出し、移動として記憶部５に格納する（ステップＳ１０６）。
【００３２】
制御部６は、ステップＳ１０６において検出また算出され、記憶部５に格納された傾き、押圧荷重および移動が、それぞれ、所定の条件（第２の条件）を満足しているか否か判定する（ステップＳ１０７）。すなわち、制御部６は、検出された押圧荷重および算出された移動が、記憶部５に格納されている押圧荷重および移動に関連する閾値（所定の閾値）以上であるか否かを判定するとともに、検出された傾きが、記憶部５に記憶されている傾きに関連する閾値以下であるか否かを判定する。ここで、ステップＳ１０７における傾きに関する閾値は、ステップＳ１０２またはステップＳ１０５における傾きに関する閾値（所定の閾値）より低い閾値である。傾きに関しては、例えば、制御部６は、タッチ面がｘｙ平面（基準角度）に対して−ｚ方向に所定の角度以上で傾いているか否かを判定する。ステップＳ１０７において、傾き、押圧荷重および移動の全てが所定の条件（第２の条件）を満足している場合（ＹＥＳの場合）、制御部６は、表示部４の表示を書き換えてページを戻す方向に、第１の速度より遅い第２の速度でめくり（ステップＳ１０８）、処理をステップＳ１０６に戻す。ステップＳ１０７において、傾き、押圧荷重および移動の少なくとも１つが所定の条件（第２の条件）を満足していない場合（ＮＯの場合）、制御部６は、処理を終了する。
【００３３】
なお、ステップＳ１０５においてＹＥＳの場合、制御部６は、処理をステップＳ１０３に戻し、ステップＳ１０３からステップＳ１０５が繰り返される。すなわち、ステップＳ１０４において検出または算出され、記憶部５に格納された傾き、押圧荷重および移動の全てが第１の条件を満足している間、制御部６は、表示部４の表示を書き換えてページを進める方向に第１の速度で連続的にめくり続ける。
【００３４】
「第１の速度」および「第２の速度」とは、表示部４の表示を書き換える速度、すなわち、１ページあたりのめくる時間を意味する。なお、この速度とは、表示部４の表示を書き換える最中の速度だけでなく、表示部４の表示を書き換える間隔を制御することを含むものとする。表示部４の表示を書き換える最中の速度とは、例えば、画面をスクロールしながら書き換えるような場合、そのスクロールの速度を意味する。また、表示部４の表示を書き換える間隔とは、あるページを書き換えてからその次のページを書き換えるまでの時間を意味する。
【００３５】
第１実施の形態に係る表示装置によるページめくりの動作概要について、図４〜図６を参照して説明する。図４（ａ）は、横軸に時間、縦軸に単位時間当たりの指の移動量を表し、図４（ｂ）は、横軸に時間、縦軸に指の押圧荷重を表し、図４（ｃ）は、横軸に時間、縦軸にタッチ面の傾きを表している。はじめに、ユーザが表示装置を＋ｚ方向に傾けると、図４（ｃ）に示すように、時間Ｔ１において、表示装置のタッチ面の傾きは、閾値Ａ（所定の閾値）以上となる。続けて、ユーザがタッチ面を指で押圧すると、図４（ｂ）に示すように、時間Ｔ２において、指による押圧荷重は閾値（所定の閾値）Ｐ以上となる。そして、ユーザがタッチ面上で指を移動させると、図４（ａ）に示すように、時間Ｔ３において、単位時間当たりの指の移動量は閾値（所定の閾値）Ｌ以上となる。時間Ｔ３では、タッチセンサ１のタッチ面の傾き、指の押圧荷重、単位時間当たりの指の移動量の全てが所定条件（第１の条件）を満たしたため、制御部６は、表示部４の表示を書き換えて、進める方向のページめくりを開始する。時間Ｔ３から時間Ｔ４までは、制御部６は、上記所定条件（第１の条件）を満たすと判定し、ページを進める方向に、第１の速度でめくり続けるように表示部４の表示を連続的に書き換える。時間Ｔ４において、図４（ｃ）に示すように、タッチセンサ１のタッチ面の傾きが閾値Ａ（所定の閾値）未満になると、制御部６は、進める方向のページめくりを終了する。
【００３６】
次に、ユーザが表示装置を−ｚ方向に傾けると、図４（ｃ）に示すように、時間Ｔ５において、表示装置のタッチ面の傾きは、閾値（所定の閾値より低い閾値）Ｂ以下となる。時間Ｔ５では、タッチセンサ１のタッチ面の傾き、指の押圧荷重、単位時間当たりの指の移動量の全てが所定条件（第２の条件）を満たしたため、制御部６は、表示部４の表示を書き換えて、戻る方向のページめくりを開始する。時間Ｔ５から時間Ｔ７までは、制御部６は、上記所定条件（第２の条件）を満たすと判定し、ページを戻る方向に、第１の速度より遅い第２の速度でめくり続けるように表示部４の表示を連続的に書き換える。図中、時間Ｔ３からＴ４間の縦線および時間Ｔ５からＴ７間の縦線が、１回のページめくりを表すものとする。時間Ｔ５からＴ７間の縦線の密度は、時間Ｔ３からＴ４間の縦線の密度より低いので、時間Ｔ５からＴ７の期間には、戻る方向のページめくりを、進む方向のページめくりよりも遅い速度で行っていることがわかる。時間Ｔ７において、図４（ｃ）に示すように、タッチセンサ１のタッチ面の傾きが閾値Ｂより大きくなると、制御部６は、ページめくりを終了する。
【００３７】
図５（ａ）は、横軸に時間、縦軸に単位時間当たりの指の移動量を表し、図５（ｂ）は、横軸に時間、縦軸に指の押圧荷重を表し、図５（ｃ）は、横軸に時間、縦軸にタッチ面の傾きを表している。図４の動作概要と異なる点は以下の通りである。図５の動作概要では、時間Ｔ４において、指の押圧荷重が閾値（所定の閾値）Ｐ未満になったため、制御部６は、進める方向のページめくりを終了する。また、時間Ｔ６において、指の押圧荷重が再び閾値Ｐ（所定の閾値）以上になったため、制御部６は、戻る方向のページめくりを開始する。
【００３８】
図６（ａ）は、横軸に時間、縦軸に単位時間当たりの指の移動量を表し、図６（ｂ）は、横軸に時間、縦軸に指の押圧荷重を表し、図６（ｃ）は、横軸に時間、縦軸にタッチ面の傾きを表している。図４の動作概要と異なる点は以下の通りである。図６の動作概要では、時間Ｔ４において、指の移動量が閾値（所定の閾値）Ｌ未満になったため、制御部６は、進める方向のページめくりを終了する。また、時間Ｔ６において、指の移動量が再び閾値（所定の閾値）Ｌ以上になったため、制御部６は、戻る方向のページめくりを開始する。
【００３９】
このように、本実施の形態によれば、表示装置の傾き、指の移動および押圧荷重の３つの値に基づいて、情報のページをめくるように表示部の表示を書き換えるので、ユーザの意思とは無関係にページめくりが行われることを防止し、人が本を読むときに近い感覚でページをめくる操作をすることができる。また、表示装置の傾きに応じて表示を書き換える速度を制御することにより、目的とするページに辿り着き易くすることができる。例えば、進む方向にページをめくっている最中に、目的のページを通過してしまい、ページを戻したいと思った場合、戻る方向のページめくりがゆっくりと行われるので、目的のページを再び通過してしまうという誤動作が生じにくくなる。
【００４０】
（第２実施の形態）
第２実施の形態では、進む方向のページめくり後タッチ面が反対方向に傾けられるまでの時間が所定時間内か否かに応じて、戻る方向のページめくりの速度を調整する。なお、第２実施の形態に係る表示装置の構成は第１実施の形態に係る表示装置と同一であり、各構成部の説明は省略する。第２実施の形態に係る表示装置によるページめくり動作について、図７に示すフローチャートを参照して説明する。
【００４１】
ユーザが、表示装置を傾けると、傾き検出部３は、タッチセンサ１のタッチ面の傾きを検出する（ステップＳ２０１）。制御部６は、検出された傾きを記憶部５に格納する。荷重検出部２は、ユーザの指による押圧荷重を検出する（ステップＳ２０１）。制御部６は、検出された押圧荷重を記憶部５に格納する。タッチセンサ１は、ユーザの指による入力の位置を検出する。制御部６は、検出された位置に基づき、単位時間当たりの移動量を算出し、移動として記憶部５に格納する（ステップＳ２０１）。
【００４２】
制御部６は、ステップＳ２０１において検出または算出され、記憶部５に格納された傾き、押圧荷重および移動が、それぞれ、所定の条件（第１の条件）を満足しているか否かを判定する（ステップＳ２０２）。すなわち、制御部６は、各データが、記憶部５に格納されている傾き、押圧荷重および移動に関連する閾値（所定の閾値）以上であるか否かを判定する。傾きに関しては、例えば、制御部６は、タッチ面がｘｙ平面（基準角度）に対して＋ｚ方向に所定の角度（所定の閾値）以上で傾いているか否かを判定する。ステップＳ２０２において、傾き、押圧荷重および移動の少なくとも１つが所定の条件（第１の条件）を満足していない場合（ＮＯの場合）、制御部６は、処理をステップＳ２０１に戻す。ステップＳ２０２において、傾き、押圧荷重および移動の全てが所定の条件（第１の条件）を満足している場合（ＹＥＳの場合）、制御部６は、表示部４の表示を書き換えてページを進める方向に第１の速度でめくり（ステップＳ２０３）、処理をステップＳ２０４に進める。
【００４３】
制御部６は、タイマをスタートさせる（ステップＳ２０４）。傾き検出部３は、タッチセンサ１のタッチ面の傾きを検出する（ステップＳ２０５）。制御部６は、検出された傾きを記憶部５に格納する。荷重検出部２は、ユーザの指による押圧荷重を検出する（ステップＳ２０５）。制御部６は、検出された押圧荷重を記憶部５に格納する。タッチセンサ１は、ユーザの指による入力の位置を検出する。制御部６は、検出された位置に基づき、単位時間当たりの移動量を算出し、移動として記憶部５に格納する（ステップＳ２０５）制御部６は、ステップＳ２０５において検出または算出され、記憶部５に格納された傾き、押圧荷重および移動が、それぞれ、所定の条件（第１の条件）を満足しているか否かを判定する（ステップＳ２０６）。ステップＳ２０６において、傾き、押圧荷重および移動の全てが所定の条件（第１の条件）を満足している場合（ＹＥＳの場合）、制御部６は、ステップＳ２０４でスタートさせたタイマをリセットし（ステップＳ２０７）、処理をステップＳ２０３に戻す。ステップＳ２０６において、傾き、押圧荷重および移動の少なくとも１つが所定の条件（第１の条件）を満足していない場合（ＮＯの場合）、制御部６は、処理をステップＳ２０８に進める。
【００４４】
制御部６は、ステップＳ２０５において検出または算出され、記憶部５に格納された傾き、押圧荷重および移動が、それぞれ、所定の条件（第２の条件）を満足しているか否かを判定する（ステップＳ２０８）。すなわち、制御部６は、検出された押圧荷重および移動が、記憶部５に格納されている押圧荷重および移動に関連する閾値（所定の閾値）以上であるか否かを判定するとともに、検出された傾きが、記憶部５に記憶されている傾きに関連する閾値以下であるか否かを判定する。ここで、ステップＳ２０８における傾きに関する閾値は、ステップＳ２０２またはステップＳ２０５における傾きに関する閾値（所定の閾値）より低い閾値である。傾きに関しては、例えば、制御部６は、タッチ面がｘｙ平面（基準角度）に対して−ｚ方向に所定の角度以上で傾いているか否かを判定する。ステップＳ２０８において、傾き、押圧荷重および移動の全てが所定の条件（第２の条件）を満足している場合（ＹＥＳの場合）、制御部６は、タイマをストップさせる（ステップＳ２０９）。制御部６は、ステップＳ２０４とステップＳ２０９でタイマにより計測した時間が所定時間以内か否かを判定する（ステップＳ２１０）。すなわち、制御部６は、進む方向のページめくりの終了後タッチ面が反対方向に傾けられ、傾き、押圧荷重および移動が所定の条件（第２の条件）を満足するまでの時間が所定時間内か否かを判定する。
【００４５】
ステップＳ２１０において、タイマが所定時間以内の場合（ＹＥＳの場合）、制御部６は、ページめくりの速度を、第１の速度よりも遅い第２の速度に設定する（ステップＳ２１１）。一方、ステップＳ２１０において、タイマが所定時間超の場合（ＮＯの場合）、制御部６は、ページめくりの速度を、第１の速度に設定する（ステップＳ２１２）。制御部６は、ステップＳ２１１またはステップＳ２１２で設定された速度に応じて、表示部４の表示を書き換えてページを戻る方向にめくる（ステップＳ２１３）。
【００４６】
傾き検出部３は、タッチセンサ１のタッチ面の傾きを検出する（ステップＳ２１４）。荷重検出部２は、ユーザの指による押圧荷重を検出する（ステップＳ２１４）。タッチセンサ１は、ユーザの指による入力の位置を検出する。制御部６は、検出された位置に基づき、単位時間当たりの移動量を移動として算出する（ステップＳ２１４）。制御部６は、ステップＳ２１４において検出または算出された傾き、押圧荷重および移動が、それぞれ、所定の条件（第２の条件）を満足しているか否かを判定する（ステップＳ２１５）。制御部６は、検出された押圧荷重および移動が、記憶部５に格納されている押圧荷重および移動に関連する閾値（所定の閾値）以上であるか否かを判定するとともに、検出された傾きが、記憶部５に記憶されている傾きに関連する閾値（所定の閾値より低い閾値）以下であるか否かを判定する。傾きに関しては、例えば、制御部６は、タッチ面がｘｙ平面（基準角度）に対して−ｚ方向に所定の角度以上で傾いているか否かを判定する。ステップＳ２１５において、傾き、押圧荷重および移動の全てが所定の条件を満足している場合（ＹＥＳの場合）、制御部６は、処理をステップＳ２１３に戻す。ステップＳ２１５において、傾き、押圧荷重および移動の少なくとも１つが所定の条件を満足していない場合（ＮＯの場合）、制御部６は、処理を終了する。同様に、ステップＳ２０８において、傾き、押圧荷重および移動の少なくとも１つが所定の条件を満足していない場合（ＮＯの場合）、制御部６は、処理を終了する。
【００４７】
第２実施の形態に係る表示装置によるページめくりの動作概要について、図８および図９を参照して説明する。図８（ａ）は、横軸に時間、縦軸に単位時間当たりの指の移動量を表し、図８（ｂ）は、横軸に時間、縦軸に指の押圧荷重を表し、図８（ｃ）は、横軸に時間、縦軸にタッチ面の傾きを表している。図４の動作概要と異なる点は、図８の動作概要では、時間Ｔ４からＴ５までの時間が所定時間以内か否かを判定していることである。図８の動作概要では、時間Ｔ４からＴ５までの時間が所定時間以内であるので、制御部６は、時間Ｔ５からＴ７までの間、戻る方向のページめくりを、進む方向のページめくりよりも遅い速度（第２の速度）で行い、表示部４の表示を書き換える。時間Ｔ５からＴ７間の縦線の密度は、時間Ｔ３からＴ４間の縦線の密度より低いので、時間Ｔ５からＴ７の期間には、戻る方向のページめくりを、進む方向のページめくりよりも遅い速度で行っていることがわかる。
【００４８】
図９（ａ）は、横軸に時間、縦軸に単位時間当たりの指の移動量を表し、図９（ｂ）は、横軸に時間、縦軸に指の押圧荷重を表し、図９（ｃ）は、横軸に時間、縦軸にタッチ面の傾きを表している。図８の動作概要と異なる点は、図９の動作概要では、時間Ｔ４からＴ５までの時間が所定時間超であることである。図９の動作概要では、時間Ｔ４からＴ５までの時間が所定時間超であるので、制御部６は、時間Ｔ５からＴ７までの間、戻る方向のページめくりを、進む方向のページめくりと同じ速度（第１の速度）で行い、表示部４の表示を書き換える。
【００４９】
このように、本実施の形態によれば、進む方向のページめくり後タッチ面が反対方向に傾けられ、その他所定の条件を満たされるまでの時間が所定時間内か否かを制御部６が判定して、戻る方向のページめくりの速度を調整するので、ユーザの意図がより的確に反映されたページめくりを行うことができる。例えば、進む方向にページをめくっている最中に、目的のページを通過してしまい、ページを戻したいと思った場合、ユーザが表示装置を素早く反対方向に傾けることにより、戻る方向のページめくりがゆっくりと行われるので、目的のページを再び通過してしまうという誤動作が生じにくくなる。また、進む方向にページをめくっており、最初のページを再び参照したいと思った場合は、ユーザが表示装置を通常の速さで反対方向に傾けることにより、戻る方向のページめくりが進む方向のページめくりと同様に比較的高速で行われるので、迅速に最初のページに辿り着くことができる。
【００５０】
（第３実施の形態）
第３実施の形態では、単位時間当たりの指の移動量の代わりに、タッチ面上の所定位置からの指の移動距離に基づいて、ページめくりを行う。なお、第３実施の形態に係る表示装置の構成は第１実施の形態に係る表示装置と同一であり、各構成部の説明は省略する。第３実施の形態に係る表示装置によるページめくり動作について、図１０に示すフローチャートを参照して説明する。
【００５１】
ユーザが、表示装置を傾けると、傾き検出部３は、タッチセンサ１のタッチ面の傾きを検出する（ステップＳ３０１）。荷重検出部２は、ユーザの指による押圧荷重を検出する（ステップＳ３０２）。タッチセンサ１は、ユーザの指による入力の位置を検出する。制御部６は、検出された位置に基づいて、タッチ面上の所定位置からの移動距離を移動として算出する（ステップ３０３）。制御部６は、ステップＳ３０１からステップＳ３０３で検出または算出された傾き、押圧荷重および移動が、所定の条件（第１の条件）を満足しているか否かを判定する（ステップＳ３０４）。傾きに関しては、例えば、制御部６は、タッチ面がｘｙ平面（基準角度）に対して＋ｚ方向に所定の角度以上で傾いているか否かを判定する。
【００５２】
ステップＳ３０４において、傾き、押圧荷重および移動の少なくとも１つが所定の条件を満足しない場合（ＮＯの場合）、制御部は処理をステップＳ３０１に戻す。ステップＳ３０４において、傾き、押圧荷重および移動の全てが所定の条件を満足している場合（ＹＥＳの場合）、制御部６は、表示部４の表示を書き換えてページを進める方向に第１の速度でめくる（ステップＳ３０５）。傾き検出部３は、タッチセンサ１のタッチ面の傾きを検出する（ステップＳ３０６）。荷重検出部２は、ユーザの指による押圧荷重を検出する（ステップＳ３０７）。制御部６は、ステップＳ３０６で検出された傾きおよびステップＳ３０７で検出された押圧荷重が、所定の条件（第１の条件）を満足しているか否かを判定する（ステップＳ３０８）。傾きに関しては、例えば、制御部６は、タッチ面がｘｙ平面（基準角度）に対して＋ｚ方向に所定の角度以上で傾いているか否かを判定する。
【００５３】
ステップＳ３０８において、傾きおよび押圧荷重の両方が閾値以上であると判定した場合（ＹＥＳの場合）、制御部６は、処理をステップＳ３０５に戻し、表示部４の表示を書き換えてページを進める方向に第１の速度でめくる。ステップＳ３０８において、傾きおよび押圧荷重の少なくとも一方が閾値未満であると判定した場合（ＮＯの場合）、制御部６は、処理をステップＳ３０９に進める。タッチセンサ１は、ユーザの指による入力の位置を検出する。制御部６は、検出された位置に基づいて、タッチ面上の所定位置からの移動距離を移動として算出する（ステップ３０９）。制御部６は、ステップＳ３０６、Ｓ３０７およびＳ３０９で検出または算出された傾き、押圧荷重および移動が、所定の条件（第２の条件）を満足しているか否かを判定する（ステップＳ３１０）。傾きに関しては、例えば、制御部６は、タッチ面がｘｙ平面（基準角度）に対して−ｚ方向に所定の角度以上で傾いているか否かを判定する。
【００５４】
ステップＳ３１０において、傾き、押圧荷重および移動の全てが所定の条件（第２の条件）を満足している場合（ＹＥＳの場合）、制御部６は、表示部４の表示を書き換えてページを戻る方向に、第１の速度より遅い第２の速度でめくる（ステップＳ３１１）。傾き検出部３は、タッチセンサ１のタッチ面の傾きを検出する（ステップＳ３１２）。荷重検出部２は、ユーザの指による押圧荷重を検出する（ステップＳ３１３）。制御部６は、ステップＳ３１２で検出された傾きおよびステップＳ３１３で検出された押圧荷重が、所定の条件（第２の条件）を満足しているか否かを判定する（ステップＳ３１４）。傾きに関しては、例えば、制御部６は、タッチ面がｘｙ平面（基準角度）に対して−ｚ方向に所定の角度以上で傾いているか否かを判定する。
【００５５】
ステップＳ３１４において、傾きおよび押圧荷重の両方が閾値以上であると判定した場合（ＹＥＳの場合）、制御部６は、処理をステップＳ３１１に戻し、表示部４の表示を書き換えてページを戻る方向に、第１の速度より遅い第２の速度でめくる。ステップＳ３１４において、傾きおよび押圧荷重の少なくとも一方が閾値未満であると判定した場合（ＮＯの場合）、制御部６は、処理を終了する。同様に、ステップＳ３１０において、傾き、押圧荷重および移動の少なくとも１つが所定の条件を満足しない場合（ＮＯの場合）、制御部６は、処理を終了する。
【００５６】
このように、本実施の形態によれば、タッチ面上のある地点から所定の距離だけ指を移動させた後に指の移動を停止しても、傾きおよび押圧荷重が所定の条件を満足していると、連続的に情報のページをめくるように表示部の表示を書き換えるので、人が本を読むときにより近い感覚で、快適なスピードでページをめくる操作をすることができる。
【００５７】
（第４実施の形態）
本発明の第４実施の形態では、ユーザに対してページめくりを促す画像（入力用オブジェクト）を表示部４に表示させる。なお、第４実施の形態に係る表示装置の構成は第１実施の形態に係る表示装置と同一であり、各構成部の説明は省略する。図１１−１および図１１−２は、本発明の第４実施の形態に係る表示装置の操作方法を示す図である。
【００５８】
図１１−１（ａ）に示すように、表示部４には縦書きの書籍の１〜２ページ目が見開きで表示されている。表示装置は、ｘｙ平面（基準角度）に置かれている。ここで、ユーザは、図１１−１（ｂ）に示すように、表示装置の左側を持ち上げて、表示装置のタッチ面を＋ｚ方向に傾ける。すると、表示部４の左側（２ページ目）の端部に、ページめくりを促す画像として、書籍の端に見られるページの折り重なりを表現する画像（以下、「ページめくり画像」と称する）が表示される。この状態で、図１１−１（ｃ）に示すように、ユーザが、このページめくり画像の位置に圧力をかけて左手の指である指ｈを−ｘ方向（図中左側）に動かす。このとき、傾き検出部３で検出された傾きが閾値以上であり、荷重検出部２で検出された指ｈによる入力の押圧荷重が閾値以上であり、タッチセンサ１で検出された指ｈによる入力の位置に基づき、制御部６で算出された移動が閾値以上である場合、ページが進む方向に第１の速度でめくられて、表示部４の表示が書き換えられる。図１１−１（ｃ）では、図１１−１（ｂ）の状態から１ページがめくられ、３〜４ページ目が見開きで表示されている。
【００５９】
ユーザが、指ｈでタッチセンサ１の左側端部に圧力をかけながら−ｘ方向に動かし続けると、表示部４の表示が連続的に書き換えられる。指ｈの移動を停止すると、表示の書き換えは停止する。図１１−２（ｄ）では、２９〜３０ページ目が見開きで表示され、指ｈは、タッチセンサ１の左側（３０ページ目）の端部に、圧力をかけて停止している。次に、ユーザは、図１１−２（ｅ）に示すように、表示装置のタッチ面を−ｚ方向に傾ける。すると、ページめくり画像は非表示になる。この状態で、ユーザが、指ｈでタッチセンサ１の左側端部に圧力をかけながら−ｘ方向に動かす。すると、表示部４の表示は、図１１−２（ｆ）に示すように、ページが戻る方向に、第１の速度より遅い第２の速度でめくられて、表示部４の表示が書き換えられる。図１１−２（ｆ）では、図１１−２（ｅ）の状態から１ページが戻る方向にめくられ、２７〜２８ページ目が見開きで表示されている。
【００６０】
図示例では、左側が高くなるように表示装置のタッチ面を傾けているため、縦書きの本であれば本を読み進める方向でページがめくられることになり、人が本を読むときに近い感覚でアプリケーションを操作することができる。なお、入力用オブジェクトとしてのページめくり画像は、図示例のような書籍の端に見られるページの折り重なりを表現する画像に限定されることはなく、例えば矢印記号のような任意の画像とすることができる。また、ユーザが、表示装置のタッチ面を−ｚ方向に傾けた場合にも、ページめくり画像を表示させることもできる。
【００６１】
第４実施の形態に係る表示装置によるページめくり動作について、図１２に示すフローチャートを参照して説明する。ユーザが、表示装置を傾けると、傾き検出部３は、タッチセンサ１のタッチ面の傾きを検出する（ステップＳ４０１）。制御部６は、記憶部５に格納されている傾きに関連する閾値（所定の閾値）を読み出し、ステップＳ４０１で検出された傾きが、この閾値以上であるか否か、例えば、タッチ面がｘｙ平面（基準角度）に対して＋ｚ方向に所定の角度以上で傾いているか否か（第１の条件を満足しているか）を判定する（ステップＳ４０２）。ステップＳ４０２において、傾きが閾値以上であると判定した場合（ＹＥＳの場合）、制御部６は、表示部４に第１の方向にページをめくる際に利用されるページめくり画像（第１のページめくり画像）を表示する（ステップＳ４０３）。ステップＳ４０２において、傾きが閾値未満であると判定した場合（ＮＯの場合）、制御部６は、表示部４にページめくり画像が表示されている場合は、その画像を非表示し（ステップＳ４０４）、処理をステップＳ４０１に戻す。
【００６２】
荷重検出部２は、ユーザの指による押圧荷重を検出する（ステップＳ４０５）。タッチセンサ１は、ユーザの指による入力の位置を検出する。制御部６は、検出された位置が、ページめくり画像を表示した位置であるか否かを判定した上で、この検出された位置に基づいて、単位時間当たりの移動量を移動として算出する（ステップＳ４０６）。制御部６は、ステップＳ４０５で検出された押圧荷重およびステップＳ４０６で算出された移動が、所定の条件（第１の条件）を満足しているか否かを判定する（ステップＳ４０７）。
【００６３】
ステップＳ４０７において、押圧荷重および移動の両方が所定の条件を満足していると判定した場合（ＹＥＳの場合）、制御部６は、表示部４の表示を書き換えてページを進める方向に第１の速度でめくり（ステップＳ４０８）、処理をステップＳ４０９に進める。ステップＳ４０７において、押圧荷重および移動の少なくとも一方が所定の条件を満たしていないと判定した場合（ＮＯの場合）、制御部６は、処理をステップＳ４０１に戻す。傾き検出部３は、タッチセンサ１のタッチ面の傾きを検出する（ステップＳ４０９）。制御部６は、検出された傾きを記憶部５に格納する。荷重検出部２は、ユーザの指による押圧荷重を検出する（ステップＳ４０９）。制御部６は、検出された押圧荷重を記憶部５に格納する。タッチセンサ１は、ユーザの指による入力の位置を検出する。制御部６は、検出された位置に基づき、単位時間当たりの移動量を算出し、移動として記憶部５に格納する（ステップＳ４０９）。制御部６は、ステップＳ４０９において検出または算出され、記憶部５に格納された傾き、押圧荷重および移動が、それぞれ、所定の条件（第１の条件）を満足しているか否かを判定する（ステップＳ４１０）。ステップＳ４１０において、傾き、押圧荷重および移動の全てが所定の条件（第１の条件）を満足している場合（ＹＥＳの場合）、制御部６は、処理をステップＳ４０８に戻す。ステップＳ４１０において、傾き、押圧荷重および移動の少なくとも１つが所定の条件（第１の条件）を満足していない場合（ＮＯの場合）、制御部６は、処理をステップＳ４１１に進める。
【００６４】
傾き検出部３は、タッチセンサ１のタッチ面の傾きを検出する（ステップＳ４１１）。制御部６は、記憶部５に格納されている傾きに関連する閾値（所定の閾値より低い閾値）を読み出し、ステップＳ４１１で検出された傾きが、この閾値以下であるか否か、例えば、タッチ面がｘｙ平面（基準角度）に対して−ｚ方向に所定の角度以上で傾いているか否か（第２の条件を満足しているか）を判定する（ステップＳ４１２）。ステップＳ４１２において、傾きが閾値以下であると判定した場合（ＹＥＳの場合）、制御部６は、表示部４に第２の方向にページをめくる際に利用されるページめくり画像（第２のページめくり画像）を表示する（ステップＳ４１３）。ステップＳ４１２において、傾きが閾値未満であると判定した場合（ＮＯの場合）、制御部６は、表示部４にページめくり画像が表示されている場合は、その画像を非表示し（ステップＳ４１４）、処理をステップＳ４１１に戻す。
【００６５】
荷重検出部２は、ユーザの指による押圧荷重を検出する（ステップＳ４１５）。タッチセンサ１は、ユーザの指による入力の位置を検出する。制御部６は、検出された位置が、ページめくり画像を表示した位置であるか否かを判定した上で、この検出された位置に基づいて、単位時間当たりの移動量を移動として算出する（ステップＳ４１６）。制御部６は、ステップＳ４１５で検出された押圧荷重およびステップＳ４１６で算出された移動が、所定の条件（第２の条件）を満足しているか否かを判定する（ステップＳ４１７）。ステップＳ４１７において、押圧荷重および移動の両方が所定の条件（第２の条件）を満足していると判定した場合（ＹＥＳの場合）、制御部６は、表示部４の表示を書き換えてページを戻る方向に第１の速度より遅い第２の速度でめくり（ステップＳ４１８）、処理をステップＳ４１１に戻す。ステップＳ４１７において、押圧荷重および移動の少なくとも一方が所定の条件を満たしていないと判定した場合（ＮＯの場合）、制御部６は、処理を終了する。
【００６６】
なお、この実施の形態において、移動とは、単位時間当たりの指の移動量であるとして説明したが、第２実施の形態のように、所定位置からの指の移動距離とすることもできる。また、ステップＳ４０５とステップＳ４０６は、図示例の順番に限定されることはなく、逆順とすることもできる。同様に、ステップＳ４１５とステップＳ４１６は、図示例の順番に限定されることはなく、逆順とすることもできる。
【００６７】
このように、本実施の形態によれば、ページめくり画像を表示部４に表示させることにより、ページめくりに対してユーザの注意を促すので、さらに、誤動作を防止することができる。
【００６８】
（第５実施の形態）
本発明の第５実施の形態では、ページめくりに際してユーザに触感を呈示する。図１３は、本発明の第５実施の形態に係る表示装置の機能ブロック図である。この表示装置は、図１の構成に加えて触感呈示部７を有する。触感呈示部７は、タッチセンサ１のタッチ面を振動させるように制御部６によって制御され、ユーザの指等のタッチ対象に触感を呈示する。触感呈示部７は、例えば、小型の偏心モータや圧電素子を用いて構成される。なお、荷重検出部２および触感呈示部７を圧電素子を用いて構成する場合は、圧電素子を共用して荷重検出部および触感呈示部を構成することもできる。記憶部５は、触感呈示部７の駆動信号情報を記憶している。
【００６９】
第５実施の形態に係る表示装置によるページめくり動作について、図１４に示すフローチャートを参照して説明する。ユーザが、表示装置を傾けると、傾き検出部３は、タッチセンサ１のタッチ面の傾きを検出する（ステップＳ５０１）。荷重検出部２は、ユーザの指による押圧荷重を検出する（ステップＳ５０１）。タッチセンサ１は、ユーザの指による入力の位置を検出する。制御部６は、検出された位置に基づき、単位時間当たりの指の移動量を移動として算出する（ステップＳ５０１）。
【００７０】
制御部６は、ステップＳ５０１で検出または算出された傾き、押圧荷重および移動が、それぞれ、所定の条件（第１の条件）を満足しているか否かを判定する（ステップＳ５０２）。すなわち、制御部６は、各データが、記憶部５に格納されている傾き、押圧荷重および移動に関連する閾値（所定の閾値）以上であるか否かを判定する。傾きに関しては、例えば、制御部６は、タッチ面がｘｙ平面（基準角度）に対して＋ｚ方向に所定の角度以上で傾いているか否かを判定する。ステップＳ５０２において、傾き、押圧荷重および移動の少なくとも１つが所定の条件を満足していない場合（ＮＯの場合）、制御部６は、処理をステップＳ５０１に戻す。ステップＳ５０２において、傾き、押圧荷重および移動の全てが所定の条件を満足している場合（ＹＥＳの場合）、制御部６は、表示部４の表示を書き換えてページを進める方向に第１の速度でめくる（ステップＳ５０３）。制御部６は、記憶部５を参照し、触感を呈示する駆動信号の情報を取得して、この駆動信号により触感呈示部７を駆動する。そして、触感呈示部７はタッチ面を振動させて、ユーザに触感を呈示する（ステップＳ５０４）。
【００７１】
傾き検出部３は、タッチセンサ１のタッチ面の傾きを検出する（ステップＳ５０５）。荷重検出部２は、ユーザの指による押圧荷重を検出する（ステップＳ５０５）。タッチセンサ１は、ユーザの指による入力の位置を検出する。制御部６は、検出された位置に基づき、単位時間当たりの指の移動量を移動として算出する（ステップＳ５０５）。制御部６は、ステップＳ５０５で検出または算出された傾き、押圧荷重および移動が、それぞれ、所定の条件（第１の条件）を満足しているか否かを判定する（ステップＳ５０６）。ステップＳ５０６において、傾き、押圧荷重および移動の全てが所定の条件を満足している場合（ＹＥＳの場合）、制御部６は、処理をステップＳ５０３に戻す。ステップＳ５０６において、傾き、押圧荷重および移動の少なくとも１つが所定の条件を満足していない場合（ＮＯの場合）、制御部６は、処理をステップＳ５０７に進める。傾き検出部３は、タッチセンサ１のタッチ面の傾きを検出する（ステップＳ５０７）。荷重検出部２は、ユーザの指による押圧荷重を検出する（ステップＳ５０７）。タッチセンサ１は、ユーザの指による入力の位置を検出する。制御部６は、検出された位置に基づき、単位時間当たりの指の移動量を移動として算出する（ステップＳ５０７）。
【００７２】
制御部６は、ステップＳ５０７で検出された傾き、押圧荷重および移動が、それぞれ、所定の条件（第２の条件）を満足しているか否かを判定する（ステップＳ５０８）。傾きに関しては、例えば、制御部６は、タッチ面がｘｙ平面（基準角度）に対して−ｚ方向に所定の角度以上で傾いているか否かを判定する。ステップＳ５０８において、傾き、押圧荷重および移動の全てが所定の条件（第２の条件）を満足している場合（ＹＥＳの場合）、制御部６は、表示部４の表示を書き換えてページを戻る方向に、第１の速度より遅い第２の速度でめくる（ステップＳ５０９）。そして、触感呈示部７はタッチ面を振動させて、ユーザに触感を呈示し（ステップＳ５１０）、制御部６は、処理をステップＳ５０７に戻す。ステップＳ５０８において、傾き、押圧荷重および移動の少なくとも１つが所定の条件を満足しない場合（ＮＯの場合）、制御部６は、処理を終了する。なお、この実施の形態において、移動とは、単位時間当たりの指の移動量であるとして説明したが、第３実施の形態のように、所定位置からの指の移動距離とすることもできる。
【００７３】
このように、本実施の形態によれば、ページめくりに際してユーザに触感を呈示するので、実際にページをめくる動作に近い感覚でページをめくる操作をすることができる。
【符号の説明】
【００７４】
１      タッチセンサ
２      荷重検出部
３      傾き検出部
４      表示部
５      記憶部
６      制御部
７      触感呈示部
ｍ      指
ｈ      指
【図１】
0005613503.tif 000002
【図２−１】
0005613503.tif 000003
【図２−２】
0005613503.tif 000004
【図３】
0005613503.tif 000005
【図４】
0005613503.tif 000006
【図５】
0005613503.tif 000007
【図６】
0005613503.tif 000008
【図７】
0005613503.tif 000009
【図８】
0005613503.tif 000010
【図９】
0005613503.tif 000011
【図１０】
0005613503.tif 000012
【図１１−１】
0005613503.tif 000013
【図１１−２】
0005613503.tif 000014
【図１２】
0005613503.tif 000015
【図１３】
0005613503.tif 000016
【図１４】
0005613503.tif 000017